(57)【特許請求の範囲】
【請求項１】
天板の下面を、左右方向を向く枢軸をもって脚杆の上端部に枢着し、この枢軸を支点として、前記天板を水平位置と起立位置とに回動可能とし、かつ前記両位置においてロックし得るようにした折り畳みテーブルにおいて、
前記脚杆における前記枢軸から離れた遠近２箇所に係止部を設け、前記天板に、天板を水平位置としたときに、枢軸から遠い方の係止部に係脱しうる第１の係止レバーと、天板を起立位置としたときに、枢軸に近い方の係止部に係脱しうる第２の係止レバーと、前記両係止レバーを操作する操作手段とを設けたことを特徴とする折り畳みテーブル。
【請求項２】
脚杆の上端部における後部に枢軸を設け、かつその前方に、２個の係止部を前後方向に離間させて設けた請求項１記載の折り畳みテーブル。
【請求項３】
第１の係止レバーと第２の係止レバーとを、第１の連係手段をもって連係し、第１の係止レバーと第２の係止レバーとのいずれか一方を、第２の連係手段をもって、操作手段と連係した請求項１または２記載の折り畳みテーブル。
【請求項４】
第１の連係手段を可撓性のケーブルとし、第２の連係手段をボーデンケーブルとした請求項３記載の折り畳みテーブル。
【請求項５】
第１の連係手段に所要の遊びを設け、第１の係止レバーと第２の係止レバーとの作動のタイミングをずらした請求項３または４記載の折り畳みテーブル。
【請求項６】
脚杆に、天板を水平位置としたときに天板の下面に当接するストッパを、高さ調節可能とすることにより、天板の水平位置を調節しうるようにした水平位置調節手段を設けるとともに、第１の係止レバーを、前記水平位置調節手段によって調節される天板の水平位置調節範囲内のいずれの位置においても、遠い方の係止部にがたつきなく係止しうるものとした請求項１〜５のいずれかに記載の折り畳みテーブル。
【請求項７】
第１の係止レバーを、係止部としたピンに係合する偏心カムまたは渦巻きカムとした請求項６記載の折り畳みテーブル。
【発明の詳細な説明】
【技術分野】
【０００１】
本発明は、折り畳みテーブル、特に、天板を、水平位置と起立位置とにおいてロックするロック装置の構造に関する。
【背景技術】
【０００２】
この種の折り畳みテーブルには、天板が水平位置に位置しているときと、起立位置に位置しているときとにおいて、天板の下面に設けた操作レバーが、脚杆の互いに異なる部位に設けた係止部に係合して、天板をその各位置にロックしうるようにしたものがある(例えば特許文献１および２参照)。
【０００３】
その中には、天板が水平位置に位置しているときに操作レバーと係合する係止部と、天板が起立位置に位置しているときに操作レバーと係合する係止部とが、天板の回転中心から等距離の位置にあるもの(特許文献１)と、異なる距離だけ離れているもの(特許文献２)とがある。
【特許文献１】特開平１１−２７６２５５号公報
【特許文献２】特開２００４−１１３５８４号公報
【発明の開示】
【発明が解決しようとする課題】
【０００４】
しかし、特許文献１に記載されているものにおいては、ロック時の拘束作用を高めるため、天板の回転中心から両係止部までの距離を大とすると、両係止部の相互の間隔も大となり、それに伴って、両係止部を設けた部材(受け部材)を大型化しなければならず、体裁が悪くなる。
【０００５】
特許文献２に記載されているものにおいては、天板の回転中心から遠く離れた方の係止部と、天板に設けた操作レバーの係合部分との寸法誤差が生じやすく、操作レバーと係止部との間にがたが生じやすく、操作レバーを正確に係止部に係止させ難いという問題がある。
【０００６】
本発明は、従来の技術が有する上記のような問題に鑑み、構成部材の寸法を大とすることなく、天板を、水平位置と起立位置とにおいて、がたつきが生じることなく、確実かつ強力に係止することができ、しかも体裁のよい折り畳みテーブルを提供することを目的としている。
【課題を解決するための手段】
【０００７】
本発明によると、上記課題は次のようにして解決される。
(１)  天板の下面を、左右方向を向く枢軸をもって脚杆の上端部に枢着し、この枢軸を支点として、前記天板を水平位置と起立位置とに回動可能とし、かつ前記両位置においてロックし得るようにした折り畳みテーブルにおいて、前記脚杆における前記枢軸から離れた遠近２箇所に係止部を設け、前記天板に、天板を水平位置としたときに、枢軸から遠い方の係止部に係脱しうる第１の係止レバーと、天板を起立位置としたときに、枢軸に近い方の係止部に係脱しうる第２の係止レバーと、前記両係止レバーを操作する操作手段とを設ける。
【０００８】
(２)  上記(１)項において、脚杆の上端部における後部に枢軸を設け、かつその前方に、２個の係止部を前後方向に離間させて設ける。
【０００９】
(３)  上記(１)または(２)項において、第１の係止レバーと第２の係止レバーとを、第１の連係手段をもって連係し、第１の係止レバーと第２の係止レバーとのいずれか一方を、第２の連係手段をもって、操作手段と連係する。
【００１０】
(４)  上記(３)項において、第１の連係手段を可撓性のケーブルとし、第２の連係手段をボーデンケーブルとする。
【００１１】
(５)  上記(３)または(４)項において、第１の連係手段に所要の遊びを設け、第１の係止レバーと第２の係止レバーとの作動のタイミングをずらす。
【００１２】
(６)  上記(１)〜(５)項のいずれかにおいて、脚杆に、天板を水平位置としたときに天板の下面に当接するストッパを、高さ調節可能とすることにより、天板の水平位置を調節しうるようにした水平位置調節手段を設けるとともに、第１の係止レバーを、前記水平位置調節手段によって調節される天板の水平位置調節範囲内のいずれの位置においても、遠い方の係止部にがたつきなく係止しうるものとする。
【００１３】
(７)  上記(６)項において、第１の係止レバーを、係止部としたピンに係合する偏心カムまたは渦巻きカムとする。
【発明の効果】
【００１４】
本発明によると、次のような効果を奏することができる。
請求項１記載の発明によると、天板を水平位置としたときと、起立位置としたときとに、互いに異なる係止部と係止レバーとが係脱しうるようにしてあるので、両係止部を支持する部材や、両係止レバー等の構成部材の寸法を小とすることができ、体裁をよくすることができ、しかも、天板を、水平位置と起立位置とにおいて、がたつきが生じることなく、確実かつ強力に係止することができる。
【００１５】
請求項２記載の発明によると、脚杆の上端部における後部に枢軸を設け、かつその前方に、２個の係止部を前後方向に離間させて設けてあるので、各係止部に係合する第１および第２の係止レバーを、互いに前後方向に離間させて、余裕を持って天板に設けることができる。
【００１６】
請求項３記載の発明によると、１個の操作手段で、２個の係止レバーを操作することができ、部品点数の削減を図ることができる。
【００１７】
請求項４記載の発明によると、簡単な構造で、操作手段と２個の係止レバーとを連係することができる。
【００１８】
請求項５記載の発明によると、１個の操作手段で、２個の係止レバーを、それぞれ個別に操作することができる。
【００１９】
請求項６記載の発明によると、天板の水平位置を微調節することができるとともに、その調節によって、天板と脚杆との間に、微小なずれが生じたとしても、第１の係止レバーを、がたつきが生じることなく、係止部に確実に係止させることができる。
【００２０】
請求項７記載の発明によると、天板が水平位置に位置しているときの係止部の位置にわずかのずれが生じたとしても、そのずれに相当する分だけ、偏心カムまたは渦巻きカムとした第１の係止レバーが、係止部に深く、または浅く係合することにより、上記のずれを吸収し、第１の係止レバーを、がたつきが生じることなく、係止部に確実に係止させることができる。
【発明を実施するための最良の形態】
【００２１】
以下、本発明の一実施形態を、添付図面を参照して説明する。
図１は、本発明の折り畳みテーブルの一実施形態の正面図、図２は、同じく側面図である。
【００２２】
この折り畳みテーブルは、前後の端部にキャスター１を設けた前後方向を向く水平脚２の中央部より立設した左右１対の脚杆３、３の上端部に、天板４の下面を、左右方向を向く枢軸５(図７、図８、１９〜図２５参照)をもって枢着し、天板４が、この枢軸５を支点として、図２に示す水平位置と、図３に示す起立位置とに回動可能とし、図３に示すように、起立位置とした状態で、複数の折り畳みテーブルを前後方向に重合させて収容しうるようになっている。
【００２３】
図４〜図８に示すように、各脚杆３の上端部内面には、枢軸５を支持する支持具６が固着されている。
各支持具６は、図７および図８に示すように、外側端が開口し、かつ内側端が閉塞された横向有底角筒状の基部７と、この基部７の外側上部に連設され、外側端が開口し、かつ内側端が閉塞された短寸の横向円筒部８と、基部７の外側部下端より垂下する垂下部９と、基部７の内端部より斜め前上方に向かって延出する第１腕部１０と、基部７の内端部より斜め後上方に向かって延出する第２腕部１１と、基部７の内端面に内向き突設された短寸の差し込み部１２とを備えている。
【００２４】
図４〜図６に示すように、各支持具６の差し込み部１２に、左右方向を向く縦長角管状の連結杆１３の各端部が外嵌されるようにして、左右１対の支持具６、６の対向面に、連結杆１３の各端部を当接し、上記差し込み部１２を含む支持具６の基部７を左右方向に貫通する上下２本のボルト１４、１４をもって、各支持具６を連結杆１３の各端部に固着することにより、左右の支持具６、６は、連結杆１３を介して互いに連結されている。
【００２５】
上下のボルト１４、１４の頭部１４ａ、１４ａは、外側方に開口するようにして基部７に形成された凹部１５内に収容されており、この凹部１５の開口部は、脚杆３の内側面により閉塞されているので、外部に露呈することはない。      
【００２６】
各支持具６は、ボルト１４、１４の頭部１４ａ、１４ａが脚杆３の内側面により覆われるようにして、また各支持具６の上端部における横向円筒部８に、脚杆３の上端部内面に設けた内方を向く円形の突部３ａが嵌合されるようにして、脚杆３の上部内面に当接され、上記ボルト１４、１４を挟む上下２箇所において、ボルト１６、１７をもって、脚杆３の上端部内面に固着されている。
【００２７】
上方のボルト１６は、突部３ａの中心を通って、脚杆３の上端部を左右方向に貫通し、先端部を、支持具６の横向円筒部８における内端面の中央に設けたねじ孔１８に螺合して、締着されている。ボルト１６の頭部１６ａは、脚杆３の上端部外側面に着脱自在に装着した円形のキャップ１９により覆われている。
【００２８】
下方のボルト１７は、支持具６の垂下部９を左右方向に貫通し、先端部を、脚杆３内側面に設けたねじ孔２０に螺合して、締着されている。
【００２９】
図４、図５、図９、図１０、および図２０〜図２５に示すように、天板４の下面には、下端が開口する正面視下向きコ字状をなして前後方向を向く左右１対のブラケット２１、２１と、その前部同士および下部同士を連結する左右方向を向く前後の補強杆２２、２３とが固着されている。
【００３０】
ブラケット２１は、天板４の下面にねじ止めされた水平の取付片２１ａと、その内側および外側の側縁より垂下する内側片２１ｂおよび外側片２１ｃと、内側片２１ｂと外側片２１ｃとの前部間および後部間に架設された上向コ字状の補強片２４、２５とからなっている。
【００３１】
ブラケット２１における内側片２１ｂと外側片２１ｃとの中間部間には、図７および図８に示す支持具６の第２腕部１１に設けられた左右方向を向く軸孔２６に嵌合され、かつ止めねじ２７をもって支持具６に止着された枢軸５の両端部が軸受されている。
【００３２】
次に、このブラケット２１内に設けられ、天板４を水平位置と起立位置とにおいてロックするロック装置Ａと、その操作手段Ｂとについて説明する。
図７および図８、並びに図２０〜図２５に示すように、支持具６の第１腕部１０の上端部内面には、左右方向を向くロックピン２８が内方に向かって突設されている。このロックピン２８の先端は、下端部が支持具６の内側面にねじ止めされたクランク状の支持板２９の上端部に固着され、ロックピン２８は、支持具６と支持板２９とにより、両持ち支持されている。このロックピン２８は、枢軸５から遠い方の係止部をなしている。
また、支持具６の第２腕部１１の上端部内面にも、左右方向を向くロックピン３０が内方に向かって突設されており、このロックピン３０は、枢軸５から近い方の係止部をなしている。
【００３３】
支持具６の第１腕部１０の上端面には、ねじ孔(図示略)が設けられ、これに、ロックナット３２付きの高さ調節ボルト３３が螺合されている。この高さ調節ボルト３３は、天板４を水平位置としたときに、天板４の下面に当接するストッパをなすとともに、このストッパを高さ調節可能としたことにより、天板４の水平位置を微調節しうるようにした水平位置調節手段をもなしている。
【００３４】
図１９に示すように、ブラケット２１における取付片２１ａの下面には、レバー支持板３４における水平の取付片３４ａが固着されている。このレバー支持板３４は、上記取付片３４ａと、ブラケット２１の取付片２１ａの左右方向の中間位置において、取付片３４ａの内側縁より垂下する垂下片３４ｂと、この垂下片３４ｂの下端より内方に直角に折曲形成された水平片３４ｃと、水平片３４ｃの内側縁より起立する起立片３４ｄとからなっている。
【００３５】
このレバー支持板３４における水平片３４ｃと垂下片３４ｂとには、天板４が起立位置から水平位置へ回動する際に、ロックピン２８と支持板２９とが進入するようにした進入溝３５が設けられている。垂下片３４ｂにおける進入溝３５は、枢軸５を中心とした円弧状としてあるが、ロックピン２８が進入するものであれは、倒立Ｕ字状またはその他の形状としてもよい。
【００３６】
図１９〜図２５に示すように、レバー支持板３４における垂下片３４ｂには、天板４を水平位置としたとき(図２０)に、枢軸５から遠い方の係止部であるロックピン２８に係脱しうる第１の係止レバー３６が、左右方向を向く軸３７をもって、また天板４を起立位置としたとき(図２３)に、枢軸５から近い方の係止部であるロックピン３０に係脱しうる第２の係止レバー３８が、左右方向を向く軸３９をもって、それぞれ枢着されている。
【００３７】
第１の係止レバー３６は、軸３７より上方に向かって拡開する扇形をなし、天板４を水平位置としたときに、ロックピン２８の下面に摺接するカム面３６ａが、ロックピン２８に対して食い込み勝手となる、すなわちロックピン２８の下方に進入するにつれて、軸３７までの距離が漸次大となる渦巻き状をなす渦巻きカムまたは偏心カムとしてある。
【００３８】
したがって、水平位置調節手段である高さ調節ボルト３３により、天板４の水平位置を微調節し、天板４が水平位置に達したときの進入溝３５内へのロックピン２８の進入量が若干変動したとしても、第１の係止レバー３６のロックピン２８の下方への食い込み深さが若干変動するだけで、第１の係止レバー３６を、がたつきが生じることなく、ロックピン２８に確実に係止させることができる。
【００３９】
この第１の係止レバー３６は、軸３７に巻回され、一端が第１の係止レバー３６に、また他端がレバー支持板３４に係止されたねじりコイルばねとしたばね４０により、ロックピン２８に係合する方向に常時付勢されている。
【００４０】
第１の係止レバー３６と第２の係止レバー３８とは、第１の連係手段である可撓性のケーブル４１をもって、所要の遊びを設けて、すなわち、第２の係止レバー３８が、ロックピン３０と係合しうる係止位置に位置している状態で、第１の係止レバー３６が、ロックピン２８と係合しうる係止位置と、ロックピン２８から完全に離脱する解除位置とに自由に移動しうるだけの遊びを設けて、互いに連結されている。
したがって、図２０に示すように、第１の係止レバー３６と第２の係止レバー３８とが、ともに係止位置に位置しているときは、ケーブル４１の中間部は、垂れ下がっており、このケーブル４１が緊張させられるまでの間、第１の係止レバー３６と第２の係止レバー３８との作動のタイミングがずれる。
【００４１】
第１の係止レバー３６は、第２の連係手段であるボーデンケーブル４２をもって、操作手段Ｂと連係されている。
ボーデンケーブル４２は、可撓性のアウターチューブ４２ａと、その中に軸線方向に摺動自在に挿入されたインナーケーブル４２ｂとからなり、アウターチューブ４２ａのブラケット２１側の端部は、ブラケット２１における前方の補強片２４に、後方に向けて開口するようにして止着されている。このアウターチューブ４２ａの端部から後方に向けて引き出されたインナーケーブル４２ｂの後端は、第１の係止レバー３６の前上端より上向きに延出する腕片３６ｂの先端部に止着されている。
【００４２】
この例では、ロックピン２８に係脱する第１の係止レバー３６と、ロックピン３０に係脱する第２の係止レバー３８とにより、ロック装置Ａが形成されている。
【００４３】
次に、このロック装置Ａの作用について説明する。
図２０に示すように、天板４が水平位置に位置し、かつ第１の係止レバー３６がロックピン２８に係合している状態で、後述する操作手段Ｂの操作により、インナーケーブル４２ｂが前方に引かれることにより、図２１に示すように、第１の係止レバー３６が離脱位置へ回動させられ、それによって、天板４を、図２２に示す傾斜位置を経て、図２３に示す起立位置まで回動させることができる。
【００４４】
天板４が起立位置まで回動させられると、天板４の下面が、各支持具６の後端面に設けた緩衝材よりなるストッパ４３に当接して停止させられるとともに、第２の係止レバー３８が、自重により(必要に応じて、ばね４０と同様のばねをもって、第２の係止レバー３８を係止位置に向けて付勢してもよい)、ロックピン３０に係合し、天板４の水平位置方向への回動が阻止される。
【００４５】
この状態から、操作手段Ｂを再度操作して、インナーケーブル４２ｂを、上述の場合より大きいストロークで牽引すると、図２４に示すように、第１の係止レバー３６が解除位置まで回動させられた後、ケーブル４１が緊張して、第２の係止レバー３８が、ロックピン３０から完全に離脱する解除位置まで回動させられ、それによって、天板４は、起立位置から水平位置へ自由に回動することができるようになる。
【００４６】
図２５に示すように、天板４が起立位置から水平位置へ回動する途中で、第１の係止レバー３６は、その側面がロックピン２８に摺接して、ばね４０の付勢力に抗して、一旦解除位置まで回動させられ、天板４が水平位置に達するのとほぼ同時かまたは直前に、ロックピン２８を通過して、ばね４０の付勢力により、図２０に示す係止位置に復帰回動させられ、天板４の起立位置方向への回動が阻止される。
【００４７】
次に、図１５〜図１８を参照して、操作手段Ｂについて説明する。
この操作手段Ｂは、天板４の下面前部中央に固着したケース４４と、このケースの下面に、天板４の下面と直交する枢軸４５をもって枢着した回転操作ハンドル４６と、ケース４４の上方において、枢軸４５の上端に回り止めして固着され、かつ枢軸４５を介して回転操作ハンドル４６と一体となって回転するようにした回転板４７とを備え、左右のブラケット２１、２１に組み込んだ各ロック装置Ａに連係した２本のボーデンケーブル４２、４２におけるアウターチューブ４２ａ、４２ａの操作手段Ｂ側の端部を、枢軸４５と直交する直線上において、枢軸４５側に向かって開口するようにして、互いに上下に重ねてケース４４に止着し、かつ両アウターチューブ４２ａ、４２ａの操作手段Ｂ側の端部より引き出したインナーケーブル４２ｂ、４２ｂの端末を、上記直線上において、回転板４７の離心部の上面に、上下に重ねて、ピン４８をもって止着し、回転操作ハンドル４６を、回転板４７とともに、枢軸４５を中心として、いずれの方向に回動させても、両インナーケーブル４２ｂ、４２ｂを牽引して、左右のロック装置Ａ、Ａを同時に作動させることができるようにしてある。
【００４８】
回転操作ハンドル４６は、下面に、互いに対向する１対のほぼ半円弧状の凹部４９、４９を設けた円板状としてあるが、前方を向くレバー状、またはその他の形状とすることもできる。また、回転板４７を省略し、インナーケーブル４２ｂ、４２ｂの端末を、直接回転操作ハンドル４６の離心部に止着して実施することもある。
【００４９】
天板４の下面における回転板４７の上方と、ケース４４に対するアウターチューブ４２ａ、４２ａの止着部分の上方とには、円形の凹部５０と、それに続く凹溝５１とが設けられ、凹部５０には、回転板４７とピン４８とが、回転自在に、また凹溝５１には、ケース４４に対するアウターチューブ４２ａ、４２ａの止着部分が、それぞれ嵌合されている。
【００５０】
２本のアウターチューブ４２ａ、４２ａは、ケース４４の止着部分から、凹溝５１を通って、前方の補強杆２２内に導かれ、補強杆２２内において、左右に分岐されて、それぞれ左右のブラケット２１内のロック装置Ａまで案内されている。
【００５１】
この操作手段Ｂによると、回転操作ハンドル４６を、その枢軸４５を中心として、いずれの方向に回動させても、インナーケーブル４２ｂを牽引して、ロック装置Ａを同様に作動させることができ、利き腕が異なる人にも同様の感覚で、簡単に操作することができるとともに、構造が簡単で、小型化および薄型化が可能であり、しかも体裁をよくすることができる。
さらに、回転操作ハンドル４６に他物が当接しても、それによって回転操作ハンドル４６が回転させられることはないので、誤操作のおそれがない。
【００５２】
なお、ケース４４には、キャスタ１のロック装置(図示略)を施解錠操作する操作レバー７０も設けられているが、本発明には直接関係しないため、詳細な説明は省略する。
【００５３】
次に、図９〜図１４を参照して、ブラケット２１を覆うカバー５２について説明する。
このカバー５２は、天板４の下面に前後１対の固定ねじ(図示略)をもって固着された取付片５３と、ブラケット２１の内側面、下面、および前後面を覆う側片５４、下片５５、および前後片５６、５７とを有し、上面と外側面とが開口するとともに、下片５５に、脚杆３の上部に設けた支持具における第１腕部１０と第２腕部１１とによって形成される天板受け部が嵌合する切欠き５８を設けたカバー本体５９と、このカバー本体５９の外側面の開口部に嵌合され、ブラケット２１の外側面を覆うカバー蓋体６０とを備えている。
【００５４】
カバー５２全体は、勝手違いの左右のブラケット２１、２１の両方に取付けることができるように、前後対称の形状をなしており、そのため、カバー本体５９の下片５５には、切欠き５８の他に、支持具６に取付けられたロックピン２８と支持板２９とが通過するための方形の２個の切欠き５８ａ、５８ａが設けられており、その一方は、勝手違いのブラケット２１に取り付けたときのためのものである。
【００５５】
カバー本体５９の外側面の開口縁部には、内向き片６１が設けられており、その内向き片６１の内側縁部と、カバー蓋体６０の外側縁部とが互いに重合するようにするとともに、カバー本体５９の内向き片６１とカバー蓋体６０との重合部に、それぞれ板厚の２分の１の深さとした凹入段部６２、６３を設け、この凹入段部６２、６３同士を重合させることにより、カバー本体５９の内向き片６１とカバー蓋体６０との内外両面が互いに同一面となるようにしてある。
【００５６】
カバー蓋体６０の内面前後部には、平面視において前後内向き(または外向き)の鉤形の係合爪６４、６４が突設されており、ブラケット２１の外側片２１ｃとカバー蓋体６０の縁部との間に、カバー本体５９の内向き片６１の内側縁部を挟んで、上記両係合爪６４、６４を、ブラケットの外側片２１ｃに設けた前後の係合孔６５、６５の前後方向の内側(または外側)の縁に係止させることにより、カバー本体５９の内向き片６１の縁部は、カバー蓋体６０の縁部とともに、ブラケット２１の外側片２１ｃに確実に止着され、その縁部からカバー本体５９が剥離されるおそれがなくなる。
【００５７】
このとき、上述のように、カバー本体５９の内向き片６１とカバー蓋体６０との重合部に、それぞれ板厚の２分の１の深さとした凹入段部６２、６３を設けて、それらを重合させ、カバー本体５９の内向き片６１とカバー蓋体６０との内外両面が互いに同一面となるようにしたことにより、カバー本体５９の内向き片６１とカバー蓋体６０との内面が、ともにブラケット２１の外側片２１ｃに密着し、それらの支持が安定するとともに、それらの外側面同士が互いに同一面となり、段差がなくなるので、カバー自体の体裁がよくなる。
【００５８】
図１１および図１４に示すように、カバー本体５９の内向き片６１の内面における前後の端部には、位置決め用の突起６６、６６が突設されており、これらを、ブラケット２１の外側片２１ｃの前後部に設けた位置決め孔６７、６７に嵌合することにより、カバー本体５９の内向き片６１が、ブラケット２１の外側面に対して、簡単に位置決めされ、カバー蓋体６０の内面に突設した係合爪６４、６４を、ブラケット２１の外側片２１ｃに設けた係合孔６５、６５の縁に係止させる際に便となる。
【００５９】
また、カバー蓋体６０の下縁には、内向折曲片６８と、その前後２箇所の縁から起立し、内向折曲片６８と協働して上向きＬ字状の係合爪を形成する上向突片６９、６９とが設けられ、これらを、図１３および図１４に示すように、ブラケット２１の外側片２１ｃの下縁に当接させたり、その下縁部内側面に係止させたりすることにより、両係合爪６４、６４による係止と協働して、カバー蓋体６０が、妄りに外れることなく、ブラケットに確実に装着されるようにしてある。
【００６０】
図９に示すように、カバー本体５９の取付片５３の前後部には、左右のブラケット２１、２１の前部同士および下部同士を連結する前後の補強杆２２、２３が嵌合するようにした凹入部５３ａ、５３ａが設けられている。
【００６１】
以上から明らかなように、上記の実施形態によると、天板４を水平位置としたときと、起立位置としたときとに、互いに異なる係止部(ロックピン２８、３０)と係止レバー３６、３８とが係脱しうるようにしてあるので、両係止部を支持する部材や、両係止レバー等の構成部材の寸法を小とすることができ、体裁をよくすることができ、しかも、天板４を、水平位置と起立位置とにおいて、がたつきが生じることなく、確実かつ強力に係止することができる。
【００６２】
本発明は、上記の実施形態のみに制限されるものではなく、特許請求の範囲を逸脱しない範囲で、変形した態様での実施が可能である。
例えば、上記実施形態においては、第１の係止レバー３６と第２の係止レバー３８とを連係する第１の連係手段を、可撓性のケーブル４１としてあるが、これを、両係止レバー３６、３６の側面に突設したピンに両端を連結したリンクレバーとしたり、その一方のピンが、リンクレバーの一端部に設けた長孔に係合するようにしたりしてもよい。
【図面の簡単な説明】
【００６３】
【図１】本発明の折り畳みテーブルの一実施形態の使用状態の正面図である。
【図２】同じく、側面図である。
【図３】同じく、折り畳み状態として、他の折り畳みテーブルと前後に重ねたときの側面図である。
【図４】同じく、一側部を、外側の斜め前下方から見た一部分解斜視図である。
【図５】同じく、一側部を、内側の斜め前下方から見た一部分解斜視図である。
【図６】同じく、脚杆と支持具と連結杆との連結部分の中央縦断正面図である。
【図７】同じく、図６の連結部分を、外側の斜め前上方より見た分解斜視図である。
【図８】同じく、図６の連結部分を、内側の斜め前上方より見た分解斜視図である。
【図９】同じく、ブラケットとカバーとを、内側の斜め前下方より見た分解斜視図である。
【図１０】同じく、ブラケットとカバーとを、外側の斜め前下方より見た分解斜視図である。
【図１１】同じく、ブラケットとカバーとを、外側方より見た側面図である。
【図１２】図１１におけるXII−XII線に沿う拡大縦断正面図である。
【図１３】図１１におけるXIII−XIII線に沿う拡大縦断正面図である。
【図１４】図１１におけるXIV−XIV線に沿う拡大縦断正面図である。
【図１５】操作手段を、下方より見た底面図である。
【図１６】操作手段を、上方より見た平面図である。
【図１７】図１６におけるXVII−XVII線に沿う拡大縦断面図である。
【図１８】図１６におけるXVIII−XVIII線に沿う拡大縦断面図である。
【図１９】ブラケットの中央部を切り欠いて、その内部構造を、内側の前上方より見た斜視図である。
【図２０】図２０〜図２５は、ロック装置の作用を示すもので、図２０は、天板を水平位置としたときのロック状態の概略縦断側面図である。
【図２１】天板を水平位置としたときのロック解除状態の概略縦断側面図である。
【図２２】天板を起立位置へ上向回動する途中の状態を示す概略縦断側面図である。
【図２３】天板を起立位置としたときの概略縦断側面図である。
【図２４】天板を起立位置とした状態で、ロック解除したときの概略縦断側面図である。
【図２５】天板を水平位置へ下向回動する途中の状態を示す概略縦断側面図である。
【符号の説明】
【００６４】
Ａ  ロック装置
Ｂ  操作手段
１  キャスタ
２  水平脚
３  脚杆
３ａ突部
４  天板
５  枢軸
６  支持具
７  基部
８  横向円筒部
９  垂下部
１０  第１腕部
１１  第２腕部
１２  差し込み部
１３  連結杆
１４  ボルト
１４ａ頭部
１５  凹部
１６、１７  ボルト
１６ａ頭部
１８  ねじ孔
１９  キャップ
２０  ねじ孔
２１  ブラケット
２１ａ取付片
２１ｂ内側片
２１ｃ外側片
２２、２３  補強杆
２４、２５  補強片
２６  軸孔
２７  止めねじ
２８  ロックピン(係止部)
２９  支持板
３０  ロックピン(係止部)
３２  ロックナット
３３  高さ調節ボルト(水平位置調節手段)
３４  レバー支持板
３４ａ取付片
３４ｂ垂下片
３４ｃ水平片
３４ｄ起立片
３５  進入溝
３６  第１の係止レバー
３６ａカム面
３６ｂ腕片
３７  軸
３８  第２の係止レバー
３９  軸
４０  ばね
４１  ケーブル(第１の連係手段)
４２  ボーデンケーブル(第２の連係手段)
４２ａアウターチューブ
４２ｂインナーケーブル
４３  ストッパ
４４  ケース
４５  枢軸
４６  回転操作ハンドル
４７  回転板
４８  ピン
４９  凹部
５０  凹部
５１  凹溝
５２  カバー
５３  取付片
５３ａ凹入部
５４  側片
５５  下片
５６  前片
５７  後片
５８、５８ａ  切欠き
５９  カバー本体
６０  カバー蓋体
６１  内向き片
６２、６３  凹入段部
６４  係合爪
６５  係合孔
６６  位置決め用突起
６７  位置決め孔
６８  内向折曲片
６９  上向突片
７０  操作レバー
【図１】
0004943248.tif 000002
【図２】
0004943248.tif 000003
【図３】
0004943248.tif 000004
【図４】
0004943248.tif 000005
【図５】
0004943248.tif 000006
【図６】
0004943248.tif 000007
【図７】
0004943248.tif 000008
【図８】
0004943248.tif 000009
【図９】
0004943248.tif 000010
【図１０】
0004943248.tif 000011
【図１１】
0004943248.tif 000012
【図１２】
0004943248.tif 000013
【図１３】
0004943248.tif 000014
【図１４】
0004943248.tif 000015
【図１５】
0004943248.tif 000016
【図１６】
0004943248.tif 000017
【図１７】
0004943248.tif 000018
【図１８】
0004943248.tif 000019
【図１９】
0004943248.tif 000020
【図２０】
0004943248.tif 000021
【図２１】
0004943248.tif 000022
【図２２】
0004943248.tif 000023
【図２３】
0004943248.tif 000024
【図２４】
0004943248.tif 000025
【図２５】
0004943248.tif 000026